(57)【特許請求の範囲】
【請求項１】
絶縁体層を積み重ねて構成した積層体と、
前記積層体内に設けられ、共振周波数の波長に対して実質的に１／４の長さである少なくとも二つの共振器電極と、
前記積層体内に設けられた少なくとも一つのグランド電極と、
前記積層体の表面に設けられ、前記共振器電極の入力端に電気的に接続された入力端子と、
前記積層体の表面に設けられ、前記共振器電極の出力端に電気的に接続された出力端子と、
前記積層体の表面に設けられ、前記共振器電極の接地端および前記グランド電極に電気的に接続されたグランド端子と、
前記積層体内に設けられ、前記入力端子と前記グランド端子との間、および、前記出力端子と前記グランド端子との間のいずれか一つの間を電気的に直接接続し、インダクタとして機能するインピーダンス調整電極と、
を備え、
前記インピーダンス調整電極が、前記絶縁体層の積み重ね方向において、前記共振器電極を間にして対称の位置に配置されていること、
を特徴とする積層型ＬＣ複合部品。
【請求項２】
前記共振器電極が、前記絶縁体層の積み重ね方向において、前記積層体の略中央部に位置していることを特徴とする請求項１に記載の積層型ＬＣ複合部品。
【請求項３】
前記インピーダンス調整電極が、前記絶縁体層の積み重ね方向において、少なくとも前記共振器電極の接地端近傍で重なり合っていることを特徴とする請求項１又は請求項２に記載の積層型ＬＣ複合部品。
【請求項４】
前記インピーダンス調整電極が、前記絶縁体層の積み重ね方向において、前記共振器電極の入力端から接地端までの部分、および、前記共振器電極の出力端から接地端までの部分の少なくともいずれか一つの部分と重なり合っていることを特徴とする請求項１ないし請求項３のいずれかに記載の積層型ＬＣ複合部品。
【発明の詳細な説明】
【０００１】
【発明の属する技術分野】
本発明は、積層型ＬＣ複合部品、特に、携帯電話等の移動体通信機器などに使用される積層型ＬＣ複合部品に関する。
【０００２】
【従来の技術】
この種の積層型ＬＣ複合部品として、従来より、図８に示す構造のＬＣフィルタ１が知られている。この積層型ＬＣフィルタ１は、共振器電極１０，１１を表面に設けた絶縁体シート４と、グランド電極１４，１５をそれぞれ表面に設けた絶縁体シート２，６と、ダミー用絶縁体シート３，５等にて構成されている。
【０００３】
絶縁体シート２〜６は積み重ねられ、さらに、上下に保護用絶縁体シートを配置して一体的に焼成されることにより、図９に示す積層体１７とされる。積層体１７には、入力端子１８、出力端子１９およびグランド端子Ｇ１，Ｇ２が形成されている。入力端子１８には、共振器電極１０の入力引出し部１０ａが接続され、出力端子１９には共振器電極１１の出力引出し部１１ａが接続されている。グランド端子Ｇ１には、共振器電極１０，１１の接地側端部１０ｂ，１１ｂおよびグランド電極１４，１５の一方の端部が接続されている。グランド端子Ｇ２には、グランド電極１４，１５の他方の端部が接続されている。
【０００４】
以上のＬＣフィルタ１は、図１０に示すように、共振器電極１０により形成されるインダクタＬ１，Ｌ２と、グランド電極１４，１５が共振器電極１０に対向することにより形成されるコンデンサＣ１とで共振器Ｑ１を構成している。同様に、共振器電極１１により形成されるインダクタＬ３，Ｌ４と、グランド電極１４，１５が共振器電極１１に対向することにより形成されるコンデンサＣ２とで共振器Ｑ２を構成している。そして、共振器Ｑ１，Ｑ２の入出力インピーダンスＺの整合は、入出力引出し部１０ａ，１１ａを共振器電極１０，１１から引き出す位置と、共振器電極１０，１１の接地側端部１０ｂ，１１ｂとの距離ｌ（図８参照）を調整することにより行っていた。ここに、入出力インピーダンスＺと距離ｌとの間には、以下の関係式が成立する。
Ｚ＝２πｆＫｌ（だだし、Ｋ：比例定数，ｆ：使用周波数）
【０００５】
【発明が解決しようとする課題】
ところで、従来のＬＣフィルタ１を、入出力インピーダンスＺを５０Ωに保って高周波化し、例えば５ＧＨｚ帯フィルタとして使用する場合には、上記関係式より、距離ｌが極めて小さくなる。従って、入出力引出し部１０ａ，１１ａを共振器電極１０，１１から引き出す位置が、共振器電極１０，１１の接地側端部１０ｂ，１１ｂに接近する。
【０００６】
しかし、そのような構造を採ると、ＬＣフィルタ１を製造する際に生じる、絶縁体シート２〜６の積層ずれや外形カットの位置ずれ等によって、入出力インピーダンスＺが影響を受け易く、精度の良い入出力インピーダンスを安定して得ることが困難となる。
【０００７】
そこで、本発明の目的は、入出力インピーダンスが製造時の加工精度の影響を受けにくく、かつ、入出力インピーダンスの調整を精度良く安定して行うことができる積層型ＬＣ複合部品を提供することにある。
【０００８】
【課題を解決するための手段と作用】
以上の目的を達成するため、本発明に係る積層型ＬＣ複合部品は、
（ａ）絶縁体層を積み重ねて構成した積層体と、
（ｂ）前記積層体内に設けられ、共振周波数の波長に対して実質的に１／４の長さである少なくとも二つの共振器電極と、
（ｃ）前記積層体内に設けられた少なくとも一つのグランド電極と、
（ｄ）前記積層体の表面に設けられ、前記共振器電極の入力端に電気的に接続された入力端子と、
（ｅ）前記積層体の表面に設けられ、前記共振器電極の出力端に電気的に接続された出力端子と、
（ｆ）前記積層体の表面に設けられ、前記共振器電極の接地端および前記グランド電極に電気的に接続されたグランド端子と、
（ｇ）前記積層体内に設けられ、前記入力端子と前記グランド端子との間、および、前記出力端子と前記グランド端子との間のいずれか一つの間を電気的に直接接続し、インダクタとして機能するインピーダンス調整電極と、
を備え、
（ｈ）前記インピーダンス調整電極が、前記絶縁体層の積み重ね方向において、前記共振器電極を間にして対称の位置に配置されていること、
を特徴とする。インピーダンス調整電極と共振器電極とは、絶縁体層の積み重ね方向において、少なくとも共振器電極の接地端近傍で重なり合っていることが好ましい。
【０００９】
以上の構成により、入出力端子とグランド端子との間を電気的に接続しているインピーダンス調整電極を設けることにより、入出力インピーダンスが高精度で微調整される。
【００１０】
また、絶縁体層の積み重ね方向において、共振器電極を積層体の略中央部に配置させることを特徴とする。これにより共振器自身のインピーダンスが高くなる。さらに、このＬＣ複合部品の入出力インピーダンスは、絶縁体層の積層ずれや外形カットの位置ずれ等の影響を受けにくくなる。
【００１１】
また、絶縁体層の積み重ね方向において、インピーダンス調整電極を共振器電極を間にして対称の位置に配置させることを特徴とする。これにより、ＬＣ複合部品の入出力インピーダンスは、外形カットの位置ずれ等の影響を受けにくくなる。
【００１２】
【発明の実施の形態】
以下、本発明に係る積層型ＬＣ複合部品の実施形態について添付図面を参照して説明する。
【００１３】
本実施形態は、図８に示した従来の積層型ＬＣフィルタ１に本発明を適用したものである。図１に積層型ＬＣフィルタ２１の構成を示し、図２および図３にそれぞれＬＣフィルタ２１の外観斜視図および電気等価回路図を示す。
【００１４】
図１に示すように、積層型ＬＣフィルタ２１は、共振器電極３０，３１を表面に設けた絶縁体シート２４と、インピーダンス調整電極３２，３３、３４，３５をそれぞれ表面に設けた絶縁体シート２３，２５と、グランド電極３６，３７をそれぞれ表面に設けた絶縁体シート２２，２６等にて構成されている。絶縁体シート２２〜２６は、誘電体セラミック粉末や磁性体セラミック粉末を結合剤等と一緒に混練したものをシート状にしたものである。電極３０〜３７は、Ａｇ，Ｐｄ，Ｃｕ，Ｎｉ，Ａｕ，Ａｇ−Ｐｄ等からなり、印刷、蒸着、スパッタリング、フォトリソグラフィ等の方法により形成される。
【００１５】
共振器電極３０，３１は、絶縁体シート２４の手前側から奥側に向かって並設されている。共振器電極３０，３１のそれぞれの一端３０ｂ，３１ｂはシート２４の手前側の辺に露出して接地端とされ、他端は開放端とされている。共振器電極３０の入力引出し部３０ａはシート２４の左側の辺に露出し、共振器電極３１の出力引出し部３１ａはシート２４の右側の辺に露出している。共振器電極３０，３１の長さは、それぞれ実質的にλ／４（λ：中心周波数の波長）に設定されている。また、共振器電極３０，３１はシート２４上で線対称となっている。共振器電極３０は、入力引出し部３０ａから接地端３０ｂまでの部分でインダクタＬ１（図３参照）を形成し、入力引出し部３０ａから開放端までの部分でインダクタＬ２を形成している。同様に、共振器電極３１は出力引出し部３１ａから接地端３１ｂまでの部分でインダクタＬ３を形成し、出力引出し部３１ａから開放端までの部分でインダクタＬ４を形成している。本実施形態の場合、インダクタＬ１とＬ３のインダクタンス値は等しく、インダクタＬ２とＬ４のインダクタンス値は等しい。
【００１６】
さらに、共振器電極３０は、グランド電極３６，３７に対向し、コンデンサＣ１を形成する。このコンデンサＣ１とインダクタＬ１，Ｌ２とでλ／４共振器Ｑ１を構成する。同様に、共振器電極３１は、グランド電極３６，３７に対向し、コンデンサＣ２を形成する。このコンデンサＣ２とインダクタＬ３，Ｌ４とでλ／４共振器Ｑ２を構成する。
【００１７】
逆Ｌ字状のインピーダンス調整電極３２，３４は、シート２２〜２６の積み重ね方向において、それぞれ共振器電極３０の入力引出し部３０ａから接地端３０ｂまでの部分と重なり合っている。インピーダンス調整電極３２，３４はそれぞれインダクタＬ５，Ｌ７を形成している。同様に、インピーダンス調整電極３３，３５は、それぞれ共振器電極３１の出力引出し部３１ａから接地端３１ｂまでの部分と重なり合っている。インピーダンス調整電極３３，３５はそれぞれインダクタＬ６，Ｌ８を形成している。本実施形態の場合、インダクタＬ５〜Ｌ８のそれぞれのインダクタンス値はインダクタＬ１，Ｌ３のインダクタンス値と等しい。共振器電極３０，３１とインピーダンス調整電極３２〜３５の電極幅は同じでもよいし、どちらかが幅広であってもよい。どちらかを幅広にすることによって、積層ずれの影響を低減することができる。また、インピーダンス調整電極３２〜３５と共振器電極３０，３１とは、積層方向において、少なくとも接地端近傍で重なり合っていればよい。
【００１８】
インピーダンス調整電極３２，３４の一方の端部３２ａ，３４ａはシート２３，２５の左辺に露出し、他方の端部３２ｂ，３４ｂはシート２３，２５の手前側の辺の左寄りの位置に露出している。インピーダンス調整電極３３，３５の一方の端部３３ａ，３５ａはシート２３，２５の右辺に露出し、他方の端部３３ｂ，３５ｂはシート２３，２５の手前側の辺の右寄りの位置に露出している。
【００１９】
共振器電極３０，３１の開放端側の巻回部分３０ｃと３１ｃは、接近して対向し、電磁結合している。そして、電極３０〜３５を間にして、広面積のグランド電極３６，３７がそれぞれ上下に配置されている。
【００２０】
絶縁体シート２２〜２６は積み重ねられ、さらに、上下に保護用絶縁体シートを配置して一体的に焼成されることにより、図２に示す積層体４１とされる。積層体４１の左右の端面には、それぞれ入力端子４２、出力端子４３が形成されている。積層体４１の手前側及び奥側には、グランド端子Ｇ１，Ｇ２が形成されている。入力端子４２には、共振器電極３０の入力引出し部３０ａとインピーダンス調整電極３２，３４の端部３２ａ，３４ａが接続されている。出力端子４３には、共振器電極３１の出力引出し部３１ａとインピーダンス調整電極３３，３５の端部３３ａ，３５ａが接続されている。グランド端子Ｇ１には、共振器電極３０，３１の接地端３０ｂ，３１ｂとインピーダンス調整電極３２〜３５の端部３２ｂ〜３５ｂとグランド電極３６，３７の一方の端部が接続されている。グランド端子Ｇ２には、グランド電極３６，３７の他方の端部が接続されている。
【００２１】
図３はこうして得られた積層型ＬＣフィルタ２１の電気等価回路図である。共振器Ｑ１とＱ２は電磁気的に結合し、２段のバンドパスフィルタを構成している。共振器Ｑ１，Ｑ２のインダクタＬ１，Ｌ３は、その一端が接地されている。インダクタＬ１は、インピーダンス調整電極３２，３４が形成するインダクタＬ５，Ｌ７と並列接続している。インダクタＬ３は、インピーダンス調整電極３３，３５が形成するインダクタＬ６，Ｌ８と並列接続している。
【００２２】
なお、共振器電極３０，３１は必ずしも積層体４１の中央部に位置している必要はなく、図４に示す積層型ＬＣフィルタ２１Ａのように積層体４１の上部に配置しても良いし、積層体４１の下部に配置してもよい。
【００２３】
以上の構成からなる積層型ＬＣフィルタ２１は入力インピーダンスを、共振器電極３０のインダクタＬ１と二つのインピーダンス調整電極３２，３４のインダクタＬ５，Ｌ７とで調整することができる。同様に、出力インピーダンスを、共振器電極３１のインダクタＬ３と二つのインピーダンス調整電極３３，３５のインダクタＬ６，Ｌ８とで調整することができる。従って、入出力インピーダンスの微調整精度を従来のＬＣフィルタ１の３倍にすることができ、ＬＣフィルタ２１を製造する際に生じる絶縁体シート２２〜２６の積層ずれや外形カットの位置ずれ等による入出力インピーダンスの影響を従来の１／３にすることができる。
【００２４】
図５を参照して、本発明の作用効果をより一般的に詳説する。図５は、ＬＣフィルタ２１において、インピーダンス調整電極をＮ−１層形成した場合の断面模式図である。
【００２５】
図８に示すＬＣフィルタ１のように、入力インピーダンスを共振器電極１０のみで構成するとき、そのＬＣフィルタ１の入力インピーダンスを整合させるために必要な入力端子１８とグランド端子Ｇ１との間のインダクタンス値をＬとする。すると、図５に示すように、Ｎ−１層のインピーダンス調整電極を設けたＬＣフィルタ２１の場合、インピーダンス調整電極と共振器電極３０とは電気的に並列に接続されているため、入力端子４２とグランド端子Ｇ１との間のインダクタンス値はＮ×Ｌになる。
【００２６】
また、インダクタの長さｌとインダクタンス値Ｌの間には比例関係があり、以下の式（１）で表すことができる。
Ｌ＝Ａ×ｌ（ただし、Ａ：比例定数）  …（１）
ＬＣフィルタ２１の入力インピーダンスＺは、入力端子４２とグランド端子Ｇ１間のインダクタンス値Ｌに比例しており、
Ｚ＝Ｂ×Ｌ（ただし、Ｂ：比例定数）  …（２）
である。上記式（１），（２）から、以下の式（３）が成立する。
Ｚ＝Ｃ×ｌ（ただし、Ｃ：比例定数）  …（３）
つまり、入力インピーダンスはインダクタの長さに比例することがわかる。
【００２７】
次に、図５に示すように、理論上の外形カット面にＸ軸を設定し、Ｘ軸に対して直交する方向にＹ軸を設定する。積層体４１の厚みの中点を零点とした。このとき、外形カット線は以下の関数ｆ（ｘ）で表すことができる。
ｆ（ｘ）＝ａＸn＋ｂＸn-1＋…＋Ｚ  …（４）
（ただし、−ｄ／２≦ｘ≦ｄ／２）
【００２８】
また、実際の製造工程では、以下の条件式（５）から外れるものは不合格品とされる。
−Ｋ≦ｆ（ｘ）≦Ｋ  …（５）
【００２９】
一方、Ｎ−１層のインピーダンス調整電極を設けたＬＣフィルタ２１を、式（４）の外形カット線で切断したときに得られる入力インピーダンスＺは以下の式（６）となる。なぜなら、第ｎ層のインピーダンス調整電極（又は共振器電極３０）のインピーダンスは、ＮＬ＋Ｄｆn（ｘ）だからである。
【００３０】
【数１】
0004691853.tif 000002
【００３１】
上記式（５）と（６）から、入力インピーダンスＺのばらつきの範囲は、以下の式（７）となる。
【００３２】
【数２】
0004691853.tif 000003
【００３３】
一方、図８に示すＬＣフィルタ１のように、入力インピーダンスを共振器電極１０のみで構成するときは、入力インピーダンスのばらつきの範囲は、以下の式（８）で表される。
Ｌ−ＤＫ≦Ｚ≦Ｌ＋ＤＫ  …（８）
【００３４】
従って、上記式（７）と（８）から、ＬＣフィルタ２１とＬＣフィルタ１の入力インピーダンスのばらつきの範囲の比は、
（２ＤＫ）／Ｎ：２ＤＫ＝１／Ｎ：１
となる。これにより、従来のＬＣフィルタ１の入力インピーダンスのばらつきは、本発明のＬＣフィルタ２１と比較してＮ倍になる。つまり、本発明に係るＬＣフィルタ２１を製造する際に生じる外形カットの位置ずれ等による入力インピーダンスＺの影響を従来の１／Ｎにすることができる。以上は入力インピーダンスＺを例にして説明したが、出力インピーダンスの場合も同様である。
【００３５】
また、図１に示した積層型ＬＣフィルタ２１は、絶縁体シート２２〜２６の積み重ね方向において、共振器電極３０，３１を積層体４１の中央に配置しているので、外形カットの位置ずれ等による特性への影響が少ない構造であると言える。すなわち、図６に示すように、共振器電極３０，３１が、絶縁体シート２２〜２６の積み重ね方向において、積層体４１の中央部の位置から離れるにつれて、共振器Ｑ１，Ｑ２自身のインピーダンスが低下する。図６は、共振器電極３０，３１の位置と共振器Ｑ１，Ｑ２（共振周波数は５ＧＨｚ近傍）自身のインピーダンスの関係を示すグラフである。正規化の基準インピーダンスはＺ０＝５０Ωである。従って、共振器電極３０，３１を中央の位置に配置した図１のＬＣフィルタ２１の共振器Ｑ１，Ｑ２のインピーダンスＺ１と、共振器電極３０，３１を上部の位置に配置した図４のＬＣフィルタ２１Ａの共振器Ｑ１，Ｑ２のインピーダンスＺ２との間には以下の関係式（９）が成立する。図１のＬＣフィルタ２１のとき、図６のインピーダンスはピークとなる。
Ｚ１＞Ｚ２  …（９）
【００３６】
ここで、例えば図７に示すように、外形カットの位置がΔＬずれたとすると、インピーダンスの変動は共振器長に比例するため、上記式（９）より、以下の式（１０）が得られる。
Ｚ１−Ａ×ΔＬ＞Ｚ２−Ａ×ΔＬ
（ただし、Ａ：比例定数）
（Ａ×ΔＬ）／Ｚ１＜（Ａ×ΔＬ）／Ｚ２  …（１０）
この結果、図１のＬＣフィルタ２１の方が、外形カットの位置ずれ等による共振器Ｑ１，Ｑ２のインピーダンスの変動が少ない。
【００３７】
一方、共振器Ｑ１とＱ２が同じ結合状態であれば、共振器Ｑ１，Ｑ２のインピーダンスが高い方が、ＬＣフィルタのインピーダンスを高くすることができる。従って、図１のＬＣフィルタ２１の方がインピーダンスが高い。この結果、図１に示すＬＣフィルタ２１のように、積層体４１の中央部に共振器電極を配置した方が、外形カット位置ずれによる特性への影響が少ない。
【００３８】
また、図１に示した積層型ＬＣフィルタ２１は、絶縁体シート２２〜２６の積み重ね方向において、共振器電極３０，３１を間にして上下対称の位置にインピーダンス調整電極３２〜３５を配置しているので、外形カットによる特性への影響が少ない構造であるといえる。
【００３９】
すなわち、積層体４１の外形カットの際、共振器電極３０，３１の接地端３０ｂ，３１ｂが露出している積層体４１の側面が斜めカットされたとする。ここでは、説明を簡単にするため、１次関数的にカットずれが発生し、共振器電極３０，３１のカット位置を零点とする。すると、上部に位置するインピーダンス調整電極３２，３３のカット位置は＋ΔＬ（又は−ΔＬ）となり、下部に位置するインピーダンス調整電極３４，３５のカット位置は−ΔＬ（又は＋ΔＬ）になる。従って、インピーダンス調整電極３２〜３５の長さ変動は上下で相殺されるため、ＬＣフィルタ２１のインピーダンスの変動値は殆ど０になる。
【００４０】
これに対して、図４に示した積層型ＬＣフィルタ２１Ａの場合には、共振器電極３０，３１のカット位置を零点とすると、インピーダンス調整電極３２，３３のカット位置は＋ΔＬ１（又は−ΔＬ１）となり、インピーダンス調整電極３４，３５のカット位置は＋ΔＬ２（又は−ΔＬ２）となる。従って、インピーダンス調整電極３２〜３５の長さ変動は相殺されず、ＬＣフィルタ２１Ａのインピーダンスは変動することになる。
【００４１】
なお、本発明は前記実施形態に限定されるものではなく、その要旨の範囲内で種々に変更することができる。
【００４２】
前記実施形態は、共振器電極３０，３１のインダクタＬ２，Ｌ３とインピーダンス調整電極３２〜３５が形成するインダクタＬ５〜Ｌ８とが、全て等しいインダクタンスを有しているとして説明したが、必ずしも全てのインダクタが等しいインダクタンスを有している必要はない。
【００４３】
また、ＬＣ複合部品としては、バンドパスフィルタ、ローパスフィルタ、ハイパスフィルタ等がある。さらに、ＬＣ複合部品としては、バンドパスフィルタを組み合わせて構成したデュプレクサや、ローパスフィルタ、ハイパスフィルタおよびトラップ回路、あるいは、これら異なる種類の回路を組み合わせたデュプレクサであってもよい。さらに、デュプレクサ以外に、トリプレクサ、マルチプレクサ等のように、一つの積層体内に複数個のフィルタが内蔵されたものを含む。また、前記実施形態の構造を有する高周波複合部品（例えば、高周波スイッチ）も、本発明に係る積層型ＬＣ複合部品に含まれる。
【００４４】
また、前記実施形態では、実質的にλ／４の長さの共振器電極を用いているが、必ずしもこれに限るものではなく、λ／４よりも若干短い共振器電極や長い共振器電極を用いてもよい。さらに、インピーダンス調整電極の形状は、逆Ｌ字状に限らず、円弧状、Ｔ字状、直線状、蛇行状などであってもよい。また、インピーダンス調整電極は、入力端子側のみ、あるいは出力端子側のみでもよい。バンドパスフィルタは２段に限らず、３段や４段でもよい。ただし、この場合、インピーダンス調整電極は、入出力端子に近い両側の共振器電極にのみ設ければよい。
【００４５】
さらに、前記実施形態は、それぞれ導体パターンが形成された絶縁体シートを積み重ねた後、一体的に焼成するものであるが、必ずしもこれに限定されない。絶縁体シートは予め焼成されたものを用いてもよい。また、以下に説明する製法によってＬＣ複合部品を製造してもよい。印刷等の方法によりペースト状の絶縁材料にて絶縁体層を形成した後、その絶縁体層の表面にペースト状の導電性材料を塗布して導体パターンを形成する。次にペースト状の絶縁材料を上から塗布して絶縁体層とする。同様にして、順に重ね塗りすることにより積層構造を有するＬＣ複合部品が得られる。
【００４６】
【発明の効果】
以上の説明から明らかなように、本発明によれば、入出力端子とグランド端子との間を電気的に接続しているインピーダンス調整電極を設けているので、入出力インピーダンスを高精度で微調整することができる。
【００４７】
また、絶縁体層の積み重ね方向において、共振器電極を積層体の略中央部に配置させることにより、共振器自身のインピーダンスを高くすることができる。さらに、このＬＣ複合部品の入出力インピーダンスは、絶縁体層の積層ずれや外形カットの位置ずれ等の影響を受けにくい。
【００４８】
また、絶縁体層の積み重ね方向において、インピーダンス調整電極を共振器電極を間にして対称の位置に配置させることにより、ＬＣ複合部品の入出力インピーダンスは、外形カットの位置ずれ等の影響をより一層受けにくくなる。
【図面の簡単な説明】
【図１】本発明に係る積層型ＬＣ複合部品の一実施形態を示す分解斜視図。
【図２】図１に示した積層型ＬＣ複合部品の外観斜視図。
【図３】図２に示した積層型ＬＣ複合部品の電気等価回路図。
【図４】図１に示した積層型ＬＣ複合部品の変形例を示す分解斜視図。
【図５】インピーダンス調整電極をＮ−１層形成した場合の断面模式図。
【図６】共振器電極の位置と共振器自身のインピーダンスの関係を示すグラフ。
【図７】外形カットの位置ズレを示す平面図。
【図８】従来の積層型ＬＣ複合部品を示す分解斜視図。
【図９】図８に示した積層型ＬＣ複合部品の外観斜視図。
【図１０】図９に示した積層型ＬＣ複合部品の電気等価回路図。
【符号の説明】
２１，２１Ａ…積層型ＬＣ複合部品
２２〜２６…絶縁体シート
３０，３１…共振器電極
３２〜３５…インピーダンス調整電極
４１…積層体
４２…入力端子
４３…出力端子
Ｇ１，Ｇ２…グランド端子
【図１】
0004691853.tif 000004
【図２】
0004691853.tif 000005
【図３】
0004691853.tif 000006
【図４】
0004691853.tif 000007
【図５】
0004691853.tif 000008
【図６】
0004691853.tif 000009
【図７】
0004691853.tif 000010
【図８】
0004691853.tif 000011
【図９】
0004691853.tif 000012
【図１０】
0004691853.tif 000013